(57)【特許請求の範囲】
【請求項１】
原稿台から送り出された原稿を搬送するフィードローラと、該フィードローラ接し分離圧を解除可能に設けられた原稿阻止部と、該原稿阻止部を前記フィードローラに当接する方向へ加圧する加圧手段とを有する分離部を備え、
該分離部で原稿を１枚ずつ分離して画像読取部へ搬送する自動原稿搬送装置であって、前記分離部で原稿を分離して搬送するオートドキュメントフィードモード（以下、ＡＤＦモードという。）と、前記分離部の分離圧を解除して原稿を搬送するマニュアルドキュメントフィードモード（以下、ＭＤＦモードという。）とを有する自動原稿搬送装置において、
前記原稿阻止部と前記加圧手段との間に設けられ、当該加圧手段が前記原稿阻止部を前記フィードローラに当接させた前記ＡＤＦモードとするＡＤＦ位置と前記原稿阻止部を前記フィードローラへの分離圧を解除させた前記ＭＤＦモードとするＭＤＦ位置とに移動可能な分離圧断続部材と、
前記分離部を覆う開閉可能な開閉筐体に設けられ、前記分離圧断続部材を前記ＡＤＦ位置と前記ＭＤＦ位置とに切り替える分離圧制御部材とを有しており、
該分離圧制御部材は前記開閉筐体が閉じ状態のとき、前記分離圧制御部材の操作により前記分離圧断続部材が前記ＡＤＦ位置と前記ＭＤＦ位置とに切り替えられ、前記開閉筐体が開放されると前記分離圧制御部材が前記分離圧断続部材から離れ、当該分離圧断続部材が前記ＭＤＦ位置に位置されることを特徴とする自動原稿搬送装置。
【請求項２】
請求項１に記載の自動原稿搬送装置において、前記分離圧制御部材には前記分離圧断続部材の前記ＡＤＦ位置と前記ＭＤＦ位置のそれぞれ位置において当該分離圧断続部材を係止する係止手段が設けられていることを特徴とする自動原稿搬送装置。
【請求項３】
請求項２に記載の自動原稿搬送装置において、前記ＭＤＦ位置に係止された前記分離圧制御部材は前記開閉筐体が開放し、その後閉じられると前記ＡＤＦ位置に復帰されることを特徴とする自動原稿搬送装置。
【請求項４】
請求項１ないし３の何れかに記載の自動原稿搬送装置において、前記分離圧制御部材に対して前記ＡＤＦ位置に位置する弾性作用を付勢し、前記ＭＤＦ位置へは該弾性作用に抗してユーザーが操作して保持することを特徴とする自動原稿搬送装置。
【請求項５】
請求項１に記載の自動原稿搬送装置において、前記ＡＤＦモードか前記ＭＤＦモードかを検知するモード検知センサを設けたことを特徴とする自動原稿搬送装置。
【請求項６】
請求項１ないし５の何れか記載の自動原稿搬送装置を搭載したことを特徴とする画像形成装置。
【請求項７】
請求項１ないし５の何れか記載の自動原稿搬送装置を搭載したことを特徴とする画像読取装置。
【発明の詳細な説明】
【技術分野】
【０００１】
本発明は、原稿載置台にセットした原稿を１枚ずつ分離して画像読取部に搬送する自動原稿搬送装置及び画像形成装置並びに画像読取装置に関するものである。
【背景技術】
【０００２】
上記形式の自動原稿搬送装置はよく知られており、複写機やファクシミリ等の画像形成装置あるいは画像読取装置に搭載されている。この種の自動原稿搬送装置においては、画像読取部に多数の原稿が同時に搬送されないように原稿に分離圧を付与して１枚ずつ分離する分離部が設けられている。そして、自動原稿搬送装置には分離部でジャムが発生した場合を考慮して、分離圧を解除することができる機構を設けられており、ジャム処理は分離圧を解除した状態できるようにしている。
【０００３】
特許文献１には、分離圧を解除する目的で、分離部材４と分離搬送部材５との圧接を解除する第１位置と、分離部材４と分離搬送部材５とを圧接させる第２位置に選択的に移動可能な圧接解除手段１００を設け、装置本体に開閉可能に設けられたカバー部材５０を閉じる動作に連動して、分離部材４と分離搬送部材５との圧接を解除するために第１位置に移動した状態の圧接解除手段１００を第２位置に復帰させるようにする構成が開示されている。
【０００４】
また、図７に示す自動原稿搬送装置において、図８ないし図１１に示す分離圧を解除する機構を設けることが知られており、その説明をする。
図７において、符号１は自動原稿搬送装置であり、複写機、ファクシミリ、スキャナー等の画像読取装置２の上部に開閉可能に取り付けられている。
【０００５】
この自動原稿搬送装置１は、原稿設置台３に原稿４をセットすると、原稿押さえ５で原稿４の上カール等が規制される。原稿押さえ５は、呼び出しローラ６の直前まで原稿を規制した方がジャムの発生する確率や画像の乱れが小さいので、開閉可能な給紙カバー７と原稿押さえ５がオーバーラップする場合がある。次に、呼び出しローラ６が回転すると原稿は分離部８に送り出され、該分離部８で１枚ずつに分離される。その後、ローラ対９、１０を通過し、コンタクトガラス１１で読み取られる。裏面を読み取らない場合はそのまま、排紙ローラ対１２を通過し、排紙場所１３へ排紙される。なお、符号１４と１５は両面原稿の読取時に用いる切り換え爪と反転ローラである。
【０００６】
自動原稿搬送装置を使用しているとジャムが起こる場合がある。ジャムが発生した場合、ジャムしている原稿を取り除く必要があるために、ローラ圧を解除しユーザーの手で原稿を引き抜くか、ローラを回転させて原稿を排出させる必要がある。図７に示す構成の自動原稿搬送装置の場合、フィードユニット１６を取り外すことで分離圧を解除し、反転ローラ対１５は原稿設置台３を回転させることによってローラ圧解除可能にする構成がある。またローラ対９、１０も給紙カバー７を開状態にすることでローラ圧を解除することができる。そのため、排紙ローラ対１４をジャム処理用ダイアル等で回転させることで全てのジャムを処理できる。なお、図７に示した分離部８はフィードローラ２０と、該フィードローラ２０に当接する分離パッド２１より構成されるものであるが、上記記載の構成に限定しない。
【０００７】
次に、この図７に示す分離部８のジャム除去操作性を向上させた構成について説明する。
図８は上記自動原稿搬送装置１の分離部８の斜視図である。
図８において、分離部８にはフィードユニット１６と対向して設けられた固定筐体である給紙ガイド１７に分離圧断続アーム１８と分離圧断続アーム駆動用の引張スプリング１９と分離フォルダ２２が組み付けられている。分離フォルダ２２は分離パッド２１がフィードローラ２０に接離する方向へ回動可能で給紙ガイド１７に設けられており、分離フォルダ２２には分離パッド２１と図１１に示す分離圧用の圧縮スプリング２３（図８では見えない）が組み付けられている。分離圧用の圧縮スプリング２３は分離パッド２１とは逆側に分離フォルダ２２に組み付けられている。この分離圧用の圧縮スプリング２３によって分離パッド２１をフィードローラ２０に押し付けられ、分離圧が生じている。
【０００８】
図９は、分離圧断続アーム１８と分離フォルダ２２との連結部の斜視図である。分離圧断続アーム１８は回転軸１８ａの一端に設けられ、回転軸１８ａの他端は分離フォルダ２２近くまで達して他端に作動爪１８ｂが設けられ、分離圧断続アーム１８が回転軸１８ａを中心に時計方向へ回動すると、それに連動して作動爪１８ｂも時計方向に回動する。回動した作動爪１８ｂは分離フォルダ２２に設けられた分離フォルダピン２４を押し、分離フォルダ２２を押し下げる。分離フォルダ２２が押し下げられると、フィードローラ２０から分離パッド２１が離間し、分離圧が解除される。
【０００９】
図１０は給紙カバー７の開状態と閉状態と間の変化と分離圧断続アーム１８が動きとの関連を示す図である。
給紙カバー７は給紙カバー回転軸７ａを中心として回転可能に装着されている。この給紙カバー７を開くと、図１０（ａ）に示すように、分離圧断続アーム駆動用の引張スプリング１９によって分離圧断続アーム１８は図１０（ａ）の位置に引っ張られ、給紙カバー７に設けられた当接片７ｂに圧接されている。その後、給紙カバー７が閉状態へ変態するに連れて図１０（ｂ）の経て図１０（ｃ）のように当接片７ｂに押されて反時計方向に回動する。図１０（ｃ）は給紙カバー７を完全に閉状態にした使用時の態様を示す図である。
【００１０】
図１１は分離圧断続アーム１８と分離フォルダ２２の連結部の側面図である。図１０（ａ）と図１１（ａ）、図１０（ｃ）と図１１（ｂ）がそれぞれ対応している。図１１（ａ）からわかるように、給紙カバー７を開状態にすると、分離圧断続アーム１８が引張スプリング１９によって時計方向に回動する。そして、作動爪１８ｂが分離フォルダピン２４を介して分離フォルダ２２を時計方向に回動し、分離パッド２１とフィードローラ２０は完全に離間し、分離圧は脱圧している。一方、図１１（ｂ）からわかるように、給紙カバー７を閉状態にすると作動爪１８ｂと分離フォルダピン２４は完全に離間している。そのため分離圧用圧縮スプリング２３が分離パッド２１をフィードローラ２０に押し付けることによって分離圧を生じている。上記した給紙カバー７を開放させると連動して分離フォルダ２２がフィードローラ２０と離間する機構を実現するためには、分離圧用圧縮スプリング２３の押付圧に打ち勝って作動爪１８ｂによって分離フォルダ２２を押し下げられるような引張力を有するスプリングを分離圧断続アーム駆動用の引張スプリング１９として選ぶ必要がある。
【００１１】
上記で示した分離部８の場合は給紙カバー７を閉状態から開状態へ変態させるだけで、分離部８の分離圧が解除される。そこで、分離部でジャムが発生した場合、給紙カバー７を開状態にするだけでジャム原稿を引き抜くことができる。このように、ジャム除去の操作性に優れている分離部であると言える。
【００１２】
フィードローラ２０が給紙カバー７に組み付けられているタイプの分離部８もジャム処理性にすぐれている。しかし、そのタイプではフィードローラ２０を駆動させるギア列が給紙カバー７の閉状態にするたびに離間する必要がある。また、フィードローラ２０が給紙カバー７に組み付けられている場合、分離パッド２１との積上げ公差が多くなり位置関係を高精度で確保することが困難である。
【００１３】
ところで、自動原稿搬送装置は本来の機能である分離部で原稿を分離して搬送するオートドキュメントフィードモード（以下、ＡＤＦモードという。）と、例えば２つ折り原稿のような特殊原稿用として分離部の分離圧を解除し、原稿に負荷の影響を与えずに搬送できるマニュアルドキュメントフィードモード（以下、ＭＤＦモードという。）と備えているものも既に知られている。
【００１４】
しかし、今までの自動原稿搬送装置では分離圧断続機構とＡＤＦ−ＭＤＦモード切替機構の部品共有が行われていない。そのため、部品の重複や高コスト化という問題があった。
【発明の概要】
【発明が解決しようとする課題】
【００１５】
本発明は、上記した従来の問題点に鑑み、分離圧断続機構とＡＤＦ−ＭＤＦモード切替機構の部品の共有し、低コストで、かつ各モードでの操作性を高めた自動原稿搬送装置及び画像形成装置並びに画像読取装置を提供することを目的としている。
【課題を解決するための手段】
【００１６】
上記課題を解決するため、本発明は、原稿台から送り出された原稿を搬送するフィードローラと、該フィードローラ接し分離圧を解除可能に設けられた原稿阻止部と、該原稿阻止部を前記フィードローラに当接する方向へ加圧する加圧手段とを有する分離部を備え、該分離部で原稿を１枚ずつ分離して画像読取部へ搬送する自動原稿搬送装置であって、前記分離部で原稿を分離して搬送するオートドキュメントフィードモード（以下、ＡＤＦモードという。）と、前記分離部の分離圧を解除して原稿を搬送するマニュアルドキュメントフィードモード（以下、ＭＤＦモードという。）とを有する自動原稿搬送装置において、前記原稿阻止部と前記加圧手段との間に設けられ、当該加圧手段が前記原稿阻止部を前記フィードローラに当接させた前記ＡＤＦモードとするＡＤＦ位置と前記原稿阻止部を前記フィードローラへの分離圧を解除させた前記ＭＤＦモードとするＭＤＦ位置とに移動可能な分離圧断続部材と、前記分離部を覆う開閉可能な開閉筐体に設けられ、前記分離圧断続部材を前記ＡＤＦ位置と前記ＭＤＦ位置とに切り替える分離圧制御部材とを有しており、該分離圧制御部材は前記開閉筐体が閉じ状態のとき、前記分離圧制御部材の操作により前記分離圧断続部材が前記ＡＤＦ位置と前記ＭＤＦ位置とに切り替えられ、前記開閉筐体が開放されると前記分離圧制御部材が前記分離圧断続部材から離れ、当該分離圧断続部材が前記ＭＤＦ位置に位置されることを特徴とする自動原稿搬送装置を提案する。
【００１８】
なお、本発明は、前記分離圧制御部材には前記分離圧断続部材の前記ＡＤＦ位置と前記ＭＤＦ位置のそれぞれ位置において当該分離圧断続部材を係止する係止手段が設けられていると有利である。
さらに、本発明は、前記ＭＤＦ位置に係止された前記分離圧制御部材は前記開閉筐体が開放されると前記ＡＤＦ位置に復帰されると有利である。
【００１９】
さらにまた、本発明は、前記分離圧制御部材に対して前記ＡＤＦ位置に位置する弾性作用を付勢し、前記ＭＤＦ位置へは該弾性作用に抗してユーザーが操作して保持すると有利である。
さらにまた、本発明は、前記ＡＤＦモードか前記ＭＤＦモードかを検知するモード検知センサを設けると有利である。
【００２０】
また、上記課題を解決するため、本発明は、請求項１ないし６の何れか記載の自動原稿搬送装置を搭載したことを特徴とする画像形成装置を提案する。
さらにまた、上記課題を解決するため、本発明は、請求項１ないし６の何れか記載の自動原稿搬送装置を搭載したことを特徴とする画像読取装置を提案する。
【発明の効果】
【００２１】
本発明によれば、今まで以上に低コストな分離圧解除機構とＡＤＦモードとＭＤＦモードの切替機構を提供することができる。さらに、ＭＤＦモード時にユーザーが誤って多数枚の原稿を搬送し、ジャムが発生した場合、筐体を開常態に変態しジャム処理を行い、再度筐体を閉状態にしてから原稿搬送を行う。この時に自動的にＡＤＦモードになることで、ＭＤＦモードのまま多数枚の原稿を誤って連続して搬送してしまうことを防ぐという効果もある。
【図面の簡単な説明】
【００２２】
【図１】本発明にかかる自動原稿搬送装置の分離部を示す斜視図である。
【図２】（ａ），（ｂ），（ｃ）は図１で示した自動原稿搬送装置の分離部の作動を示す側面説明図である。
【図３】分離圧断続アームと分離圧制御部材と力の関係を示す側面説明図である。
【図４】分離圧断続アームと分離圧制御部材の係止形状を示す断面図である。
【図５】（ａ）、（ｂ）はモード検知センサを設けた分離部の説明図である。
【図６】（ａ）および（ｂ）はＡＤＦモードもしくはＭＤＦモード時に状態を示す図、（ｃ）は各モードからで給紙カバー７を開らいた状態を示している図である。
【図７】自動原稿搬送装置の全体構成を示す概略図である。
【図８】従来の自動原稿搬送装置の分離部を示す斜視図である。
【図９】その自動原稿搬送装置の分離圧断続アームと分離フォルダとの連結部の斜視図である。
【図１０】（ａ）、（ｂ）、（ｃ）は給紙カバーの開状態と閉状態と間の変化と分離圧断続アームが動きとの関連を示す図である。
【図１１】分離圧断続アームと分離フォルダの連結部の側面図である。
【発明を実施するための形態】
【００２３】
以下、本発明の実施形態を添付図面に従って説明する。
図１は、本発明に係る自動原稿搬送装置の分離部を示す斜視図、図２はその分離部の作動を示す側面説明図である。
【００２４】
図１及び図２に示した分離部８は、先の図７に示す自動原稿搬送装置と同様の装置に適用されたものであり、同一部材には同一符号を付している。
図１に示す分離圧断続アーム１８は、図８〜図１１に示すそれと鏡映し、変形した形状になっている。この分離圧断続アーム１８は、回転軸１８ａを中心として回転可能に固定筐体である給紙ガイド１７に支持されている。この分離圧断続アーム１８は、図２に明示するように、その左端に作動爪１８ｂが設けられ、該アームが図２（ｃ）に示すように回転軸１８ａを介して反時計方向に回転すると、その作動爪１８ｂが分離フォルダ２２に設けられた分離フォルダピン２４を押し、分離フォルダ２２が押し下げられ、フィードローラ２０から分離パッド２１が離間するように構成されている。また、分離圧断続アーム１８の回転軸１８ａより右側にはその上辺に緩やかな凹部１８ｃに続いて緩やかな凸部１８ｄが形成されており、この上辺に後に詳述する分離圧制御部材２５が当接されている。さらにまた、分離圧断続アーム１８には分離パッド２１をフィードローラ２０から離す方向の弾性作用を与える分離圧断続アーム駆動用の引張スプリング１９が設けられている。
【００２５】
本実施形態の自動原稿搬送装置には、分離圧を発生し多数の原稿を分離しつつ搬送することができるオートドキュメントフィードモード（ＡＤＦモード）と、分離圧を解除し分離部８の負荷の影響を受けずに原稿を搬送できるマニュアルドキュメントフィードモード（ＭＤＦモード）とに切り替えることができる分離圧制御部材２５が設けられている。分離圧制御部材２５は、ユーザーが操作するレバー部２５ａと、開閉筐体である給紙カバー７にピン２６を介して回転可能に装着される装着部２５ｂとから構成されている。。
【００２６】
分離圧制御部材２５は、ＡＤＦモードのとき図２（ａ）に示すように、レバー部２５ａが後述するように給紙カバー７の面と揃う位置にあり、このとき分離圧制御部材２５の装着部２５ｂはその先端が分離圧断続アーム１８の凸部１８ｄに当接されている。分離圧制御部材２５には、かかるＡＤＦモード位置に保持するため、ピン２６を中心に図の反時計方向への回動力を付勢する分離圧制御部材回動用の引張スプリング２７が設けられている。そして、給紙カバー７にはこのスプリングの作用に抗して分離圧制御部材２５を給紙カバー７の面と揃う位置で保持するストッパ（図示せず）を設け、該位置がＡＤＦモード位置である。なお、ストッパとしては分離圧制御部材２５の装着部２５ｂの上縁当るものでも良いし、レバー部２５ａの下部に当って保持するものでも良い。
【００２７】
また、分離圧制御部材２５は、図２（ｃ）に示すように、レバー部２５ａを分離圧制御部材回動用の引張スプリング２７の作用に抗して立ち上げるとＭＤＦモードになる。ＭＤＦ位置の分離圧制御部材２５は、分離圧断続アーム１８が引張スプリング１９の作用によって反時計方向に回転し、上記したように作動爪１８ｂが分離フォルダピン２４を押し、分離フォルダ２２を押し下げられて分離パッド２１がフィードローラ２０から離間する。
【００２８】
かくして分離圧制御部材２５のレバー部２５ａを回転することによって、分離部８をＡＤＦモードから分離圧が解除されているＭＤＦモードに切り替ることができる。このとき、分離圧制御部材回動用の引張スプリング２７は図２（ｃ）の状態から自身の力が分離圧断続アーム駆動用の引張スプリング１９の力に打ち勝って図２（ａ）の状態に自然に戻ることの無い程度の力のスプリングが選択されている。逆に、分離圧制御部材回動用の引張スプリング２７の力が強く分離圧制御部材２５が図２（ａ）の状態に自然に戻ってしまうように設定しても良いが、ことときは連続してＭＤＦモードを使用できなくなってしまうので、ユーザーの操作で分離圧制御部材２５をＭＤＦ位置に維持しつつ操作する。しかし、このように自然とＡＤＦ位置に戻るようになるので、ユーザーがＭＤＦモードと気づかずに多数枚の原稿をセットすることを防ぐことができる。
【００２９】
このように構成された自動原稿搬送装置は、分離圧制御部材２５のレバー部２５ａと給紙カバー７がＡＤＦモード時に同一面になり、ＭＤＦモード時には立ち上がって異なる面を形成する。これによって、ＡＤＦモード時のデザイン性を向上させる。さらに、分離部で原稿が分離できないＭＤＦモード時においてユーザーの視認性を向上させ、多数枚の原稿を誤ってセットされることを防ぐ。
【００３０】
図３は、分離圧断続アーム１８と分離圧制御部材２５と力の関係を示す側面説明図である。
図３において、符号Ｆは分離圧断続アーム駆動用の引張スプリング１９が分離圧制御部材２５に加える力を示している。この力Ｆの方向は、分離圧制御部材２５のピン２６より図における右側に働いており、このように右側方向に力Ｆが働くとによって分離圧制御部材２５の反時計回りの回転は給紙カバー７で規制されているため、分離圧圧解除アーム１８の位置は図３の位置で保持される。そのため、ＡＤＦモードを維持することが可能である。一方、分離圧制御部材２５のピン２６より左側方向に力Ｆが働いてしまうと、分離圧断続アーム１８は分離圧断続アーム駆動用の引張スプリング１９によって反時計方向に回転し、図２（ｃ）の状態になってしまう。そのため、ＡＤＦモードを維持することができない。なお、力Ｆが左側方向に働いてしまう場合、図４に示すように、分離圧断続アーム１８と分離圧制御部材２５とが係止する係止形状２８を備えるようにすると、ＡＤＦモードを維持することができる。ＡＤＦモード、ＭＤＦモードをそれぞれ維持することで、各モードを連続してユーザーが使用することができる。
【００３１】
図５（ａ）は、図２の分離部にモード検知センサを加えてＡＤＦモード、ＭＤＦモードの各モードを確実に検知できるようにした図である。図５のモード検知センサ３０は透過型センサを用い、図５（ｂ）に示すように、分離圧制御部材２５に装着部２５ｂがセンサのフィラーと兼ねることでコストアップを最小限に抑えことができる。また、モード検知センサとしてプッシュプルセンサ３１を使用し、分離圧制御部材２２で該センサを押す構成にすることで上記と同様にコストアップを押さえることができる。
【００３２】
このようにモード検知センサを追加し、各モードをセンサで検知するようにすると、各モードを、表示部等を介して適宜知らせることでき、ユーザーの各モードの視認度を向上させることができる。そして、ユーザーの視認性を向上させることにより、ＡＤＦモード時の分離不可原稿の搬送によるジャムや、ＭＤＦモード時の多数枚原稿搬送による重送ジャムを防ぐことができる。
【００３３】
図６は、ＡＤＦモードもしくはＭＤＦモード時において、ジャム処理等で給紙カバー７を閉状態から開状態へを変更したときと、さらに再び閉状態へと戻したときの状態を示す図で、図６（ａ）はＡＤＦモード時、図６（ｂ）はＭＤＦモード時、図６（ｃ）は各モードから給紙カバー７を開らいた状態を示している。
【００３４】
給紙カバー７は、ＡＤＦモードもしくはＭＤＦモード時の何れのモード時であっても、給紙カバー回転軸７ａを支点として開放されると、フィードローラ２０から分離パッド２１が離間する。したがって、分離部８で挟まれた状態で原稿がジャムしても分離圧解除に原稿を破損させることなく取り出すことができる。また、給紙カバー７を開放すると、分離圧制御部材２５は分離圧断続アーム１８から離れるので、分離圧制御部材回動用の引張スプリング２７によって分離圧制御部材２５が給紙カバー７で位置決めされるまでＡＤＦ位置に回動する。したがって、給紙カバー７を開放したときにはどのモードであっても元に復帰させると分離部８は図６（ａ）のＡＤＦモードになる。これによって、ユーザーがＭＤＦモードであるとは気づかずに誤って多数枚の原稿を何度も搬送してしまうというミスを繰り返すことを防止することができる。
【符号の説明】
【００３５】
７  給紙カバー
８  分離部
１７  給紙ガイド
１８  分離圧断続アーム
１９  分離圧断続アーム駆動用の引張スプリング
２０  フィードローラ
２１  分離パッド
２２  分離フォルダ
２５  分離圧制御部材
２７  分離圧制御部材回動用の引張スプリング
【先行技術文献】
【特許文献】
【００３６】
【特許文献１】特開２００３−０３７７０５号公報
【図１】
0005413079.tif 000002
【図２】
0005413079.tif 000003
【図３】
0005413079.tif 000004
【図４】
0005413079.tif 000005
【図５】
0005413079.tif 000006
【図６】
0005413079.tif 000007
【図７】
0005413079.tif 000008
【図８】
0005413079.tif 000009
【図９】
0005413079.tif 000010
【図１０】
0005413079.tif 000011
【図１１】
0005413079.tif 000012